【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
積層体、該積層体上に形成された正孔輸送層を有する電子写真感光体であって、
該積層体が、支持体、該支持体上に形成された膜厚がｄ１（μｍ）である下引き層、該下引き層上に形成された膜厚がｄ２（μｍ）である電荷発生層を有し、
該正孔輸送層の膜厚が１５μｍ以下であり、
該下引き層が、式（１）で示される電子輸送物質、架橋剤および重合性官能基を有する熱可塑性樹脂を含む組成物の重合物を有し、
Ｚ１−Ｘ−Ｚ２  （１）
（式（１）中、
Ｚ１およびＺ２は、電子輸送性を有する基を示す。
Ｘは連結基を示し、該連結基は置換もしくは無置換のアルキレン基、置換もしくは無置換のアリーレン基、置換もしくは無置換の複素環基、または置換もしくは無置換のアルキレン基の主鎖中のメチレン基をＲ１に置き換えて導かれる基である。前記Ｒ１は、酸素原子、硫黄原子、ＳＯ２、ＮＲ２、ＣＯ、または置換若しくは無置換のアリーレン基を示す。前記Ｒ２は、水素原子、アルキル基またはアリール基を示す。
Ｚ１、Ｚ２、およびＸの少なくとも１つが、重合性官能基を有し、該重合性官能基が、ヒドロキシ基、チオール基、アミノ基、カルボキシル基、またはメトキシ基である。）
該積層体の該電荷発生層をコロナ帯電で帯電させてから１．０秒後の該電荷発生層の表面電位が、式（４）：Ｖｄ１＝−１００×（ｄ１＋ｄ２）
に基づいて決定されるＶｄ１になるような帯電条件Ｃにて帯電を行った場合に、帯電から０．８０秒後の該電荷発生層の表面電位Ｖｄ２が、
式（２）：０．２０≦｜Ｖｄ２−Ｖｄ１｜≦２．０
を満足し、かつ、
波長７８０ｎｍのレーザー光を１マイクロ秒間露光してから０．０４秒後の該積層体の該電子写真感光体の表面電位が、該Ｖｄ１（Ｖ）に対して２０％減衰する値となるようにＮＤフィルターによって強度を調整した光を光Ｅとしたときに、
該光Ｅを表面電位がＶｄ１（Ｖ）に帯電した該積層体の該電荷発生層の表面に露光し、該電荷発生層の表面電位の時間変化から求めた走行時間τ（ｍｓ）が、
式（３）：τ≦１０
を満足することを特徴とする電子写真感光体。
【請求項２】
前記正孔輸送層の膜厚が３μｍ以上１０μｍ以下である請求項１に記載の電子写真感光体。
【請求項３】
前記式（１）で示される電子輸送物質の含有量が、前記組成物の全質量に対して、５０質量％以上８５質量％以下である請求項１または２に記載の電子写真感光体。
【請求項４】
前記下引き層の膜厚ｄ１が、０．７μｍ以上３．０μｍ以下である請求項１から３のいずれか１項に記載の電子写真感光体。
【請求項５】
前記架橋剤が、イソシアネート基、ブロックイソシアネート基、または−ＣＨ２−ＯＲ６（Ｒ６はアルキル基を示す）で示される基を２〜６個有する請求項１から４のいずれか１項に記載の電子写真感光体。
【請求項６】
前記走行時間τ（ｍｓ）が、式（５）を満足する請求項１から５のいずれか１項に記載の電子写真感光体。
０．０１≦τ≦２    （５）
【請求項７】
前記式（１）で示される電子輸送物質が、式（１１）で示される化合物である請求項１から６のいずれか１項に記載の電子写真感光体。
【化１】
2016180975.tif 000001
（式（１１）中、Ｘ１およびＸ２は、それぞれ独立に、置換または無置換の芳香族テトラカルボン酸から４つのカルボキシル基を除いた残基を示す。該残基が置換基を有する場合、該置換基は、ハロゲン原子、シアノ基、ニトロ基、置換もしくは無置換のアルキル基、または置換もしくは無置換のアリール基である。
Ｙは、重合性官能基を有する置換若しくは無置換のアルキレン基、または重合性官能基を有する置換若しくは無置換のアリーレン基を示す。
Ｒ７およびＲ８は、それぞれ独立に、置換若しくは無置換のアルキル基、置換若しくは無置換のアルキル基のメチレン基が酸素原子に置き換わって導かれる基、置換若しくは無置換のアルキル基のメチレン基が硫黄原子に置き換わって導かれる基、置換若しくは無置換のアルキル基のメチレン基がＮＲ９に置き換わって導かれる基、置換若しくは無置換のアリール基、または置換若しくは無置換の複素環基、またはアルコキシカルボニル基を示し、Ｒ７およびＲ８は、それぞれ独立に、重合性官能基を有してもよい。
該重合性官能基は、ヒドロキシ基、チオール基、アミノ基、カルボキシル基、またはメトキシ基である。
但し、前記酸素原子、硫黄原子、及びＮＲ９は、Ｒ７およびＲ８が結合する窒素原子に直接結合しない。）
【請求項８】
前記電荷発生層が、フタロシアニン顔料およびアゾ顔料からなる群より選択される少なくとも１種の電荷発生物質を含有する請求項１から７のいずれか１項に記載の電子写真感光体。
【請求項９】
前記正孔輸送層が、トリアリールアミン化合物、ベンジジン化合物およびスチリル化合物からなる群より選択される少なくとも１種の正孔輸送物質を含有する請求項１から８のいずれか１項に記載の電子写真感光体。
【請求項１０】
支持体、該支持体上に形成された下引き層、および該下引き層上に形成された感光層を有する電子写真感光体であって、
該下引き層が、下記（ｉ）または（ｉｉ）の重合物を含有することを特徴とする電子写真感光体：
（ｉ）式（１１）で示される化合物の重合物、
（ｉｉ）式（１１）で示される化合物および架橋剤を含有する組成物の重合物。
【化２】
2016180975.tif 000002
（式（１１）中、Ｘ１およびＸ２は、それぞれ独立に、置換または無置換の芳香族テトラカルボン酸から４つのカルボキシル基を除いた残基を示す。該残基が置換基を有する場合、該置換基は、ハロゲン原子、シアノ基、ニトロ基、置換もしくは無置換のアルキル基、または置換もしくは無置換のアリール基である。
Ｙは、重合性官能基を有する置換若しくは無置換のアルキレン基、または重合性官能基を有する置換若しくは無置換のアリーレン基を示す。
Ｒ７およびＲ８は、それぞれ独立に、置換若しくは無置換のアルキル基、置換若しくは無置換のアルキル基のメチレン基が酸素原子に置き換わって導かれる基、置換若しくは無置換のアルキル基のメチレン基が硫黄原子に置き換わって導かれる基、置換若しくは無置換のアルキル基のメチレン基がＮＲ９に置き換わって導かれる基、置換若しくは無置換のアリール基、または置換若しくは無置換の複素環基、またはアルコキシカルボニル基を示し、Ｒ７およびＲ８は、それぞれ独立に、重合性官能基を有してもよい。
但し、前記酸素原子、硫黄原子、及びＮＲ９は、Ｒ７およびＲ８が結合する窒素原子に直接結合しない。）
【請求項１１】
Ｒ７およびＲ８において、
前記置換のアルキル基の置換基が、アリール基、カルボニル基、アルコキシカルボニル基、またはハロゲン原子であり、
前記置換のアリール基の置換基及び前記置換の複素環基の置換基が、ハロゲン原子、ニトロ基、シアノ基、アルキル基、アルコキシカルボニル基、アルコキシ基またはハロゲン化アルキル基である請求項１０に記載の電子写真感光体。
【請求項１２】
前記重合性官能基がヒドロキシ基、カルボキシル基、アミノ基、およびチオール基からなる群より選択される少なくとも１種である請求項１０または１１に記載の電子写真感光体。
【請求項１３】
前記重合性官能基が不飽和炭化水素基である請求項１０または１１に記載の電子写真感光体。
【請求項１４】
前記不飽和炭化水素基が、アクリロイルオキシ基、およびメタクリロイルオキシ基からなる群より選択される少なくとも１種である請求項１３に記載の電子写真感光体。
【請求項１５】
前記式（１１）で示される化合物の重合性官能基が２つ以上である請求項１０から１４のいずれか１項に記載の電子写真感光体。
【請求項１６】
前記式（１１）で示される化合物のＹが、２つの重合性官能基を有する請求項１０から１５のいずれか１項に記載の電子写真感光体。
【請求項１７】
前記式（１１）で示される化合物のＹにおいて、前記重合性官能基がヒドロキシ基である請求項１０から１６のいずれか１項に記載の電子写真感光体。
【請求項１８】
前記式（１１）で示される化合物のＸ１およびＸ２が下記群から選択されるいずれか１つである請求項１０から１７のいずれか１項に記載の電子写真感光体。
【化３】
2016180975.tif 000003
【請求項１９】
前記式（１１）で示される化合物のＲ７およびＲ８が、いずれも前記重合性官能基を有さない請求項１０から１８のいずれか１項に記載の電子写真感光体。
【請求項２０】
前記式（１１）中、Ｒ７およびＲ８が、重合性官能基を有し、
前記感光層が、電荷発生層、該電荷発生層上に形成された正孔輸送層を有し、
該正孔輸送層の膜厚が、１５μｍより大きいことを特徴とする請求項１０から１８のいずれか１項に記載の電子写真感光体。
【請求項２１】
前記組成物における前記式（１１）で示される化合物と前記架橋剤との質量比が、１００：５０以上１００：５００以下である請求項１０から１９のいずれか１項に記載の電子写真感光体。
【請求項２２】
請求項１から２１のいずれか１項に記載の電子写真感光体と、帯電手段、現像手段およびクリーニング手段からなる群より選択される少なくとも１つの手段とを一体に支持し、電子写真装置に着脱自在であるプロセスカートリッジ。
【請求項２３】
請求項１から２１のいずれか１項に記載の電子写真感光体と、露光手段、帯電手段、現像手段および転写手段を有する電子写真装置。
【手続補正２】
【補正対象書類名】明細書
【補正対象項目名】０００８
【補正方法】変更
【補正の内容】
【０００８】
本発明に係る第一の態様は、積層体、該積層体上に形成された正孔輸送層を有する電子写真感光体であって、
該積層体が、支持体、該支持体上に形成された膜厚がｄ１（μｍ）である下引き層、該下引き層上に形成された膜厚がｄ２（μｍ）である電荷発生層を有し、
該正孔輸送層の膜厚が１５μｍ以下であり、
該下引き層が、式（１）で示される電子輸送物質、架橋剤および重合性官能基を有する熱可塑性樹脂を含む組成物の重合物を有し、
Ｚ１−Ｘ−Ｚ２  （１）
（式（１）中、
Ｚ１およびＺ２は、電子輸送性を有する基を示す。
Ｘは連結基を示し、該連結基は置換もしくは無置換のアルキレン基、置換もしくは無置換のアリーレン基、置換もしくは無置換の複素環基、置換もしくは無置換のアルキレン基の主鎖中のメチレン基をＲ１に置き換えて導かれる基を示す。Ｒ１は、酸素原子、硫黄原子、ＳＯ２、ＮＲ２、ＣＯ、または置換若しくは無置換のアリーレン基を示す。Ｒ２は、水素原子、アルキル基またはアリール基を示す。
Ｚ１、Ｚ２、およびＸの少なくとも１つが、重合性官能基を有し、該重合性官能基が、ヒドロキシ基、チオール基、アミノ基、カルボキシル基、またはメトキシ基である。）
該積層体の該電荷発生層をコロナ帯電で帯電させてから１．０秒後の該電荷発生層の表面電位が、式（４）：Ｖｄ１＝−１００×（ｄ１＋ｄ２）
に基づいて決定されるＶｄ１になるような帯電条件Ｃにて帯電を行った場合に、帯電から０．８０秒後の該電荷発生層の表面電位Ｖｄ２が、
式（２）：０．２０≦｜Ｖｄ２−Ｖｄ１｜≦２．０
を満足し、かつ、
波長７８０ｎｍのレーザー光を１マイクロ秒間露光してから０．０４秒後の該積層体の該電子写真感光体の表面電位が、該Ｖｄ１（Ｖ）に対して２０％減衰する値となるようにＮＤフィルターによって強度を調整した光を光Ｅとしたときに、
該光Ｅを表面電位がＶｄ１（Ｖ）に帯電した該積層体の該電荷発生層の表面に露光し、該電荷発生層の表面電位の時間変化から求めた走行時間τ（ｍｓ）が、
式（３）：τ≦１０
を満足することを特徴とする電子写真感光体である。